(57)【特許請求の範囲】
【請求項１】
奥側の壁面の内側に当接固定される第１の当接板と、手前側の壁面の内側に当接固定される第２の当接板と、上記第１の当接板および上記第２の当接板に螺合する取付ネジとよりなり、上記第１の当接板および上記第２の当接板が、手前側の壁面に形成された取付穴より挿入可能に細長にそれぞれ形成されているとともに、同第１の当接板および同第２の当接板がそれぞれ、互いに十字状に組み合わせ可能な横板と縦板とからなっていることを特徴とする住宅用部材の後付け構造。
【請求項２】
上記第１の当接板および上記第２の当接板が、紐を挿通することができるように紐用穴をそれぞれ有しているものであり、この紐用穴を挿通する紐が引っ張られて、同第１の当接板および同第２の当接板が互いに十字状にクロスするものであることを特徴とする請求項１記載の住宅用部材の後付け構造。
【請求項３】
上記第２の当接板が、１ないし複数の切欠部を有しているものであり、この切欠部に固定具を通すようにして手摺りや収納箱体などの住宅用部材が取り付けられるようになしたことを特徴とする請求項１または請求項２記載の住宅用部材の後付け構造。
【請求項４】
上記住宅用部材と上記第２の当接板との間に合板などの介在物を介在させて、この介在物に対して同住宅用部材が取り付けられるようになしたことを特徴とする請求項３記載の住宅用部材の後付け構造。
【発明の詳細な説明】
【０００１】
【発明の属する技術分野】
本発明は、住宅用部材の後付け構造に関し、さらに詳しくは、施工現場にて手摺りや収納箱体といったような住宅用部材を後付けするのに有用な住宅用部材の後付け構造に関するものである。
【０００２】
【従来の技術】
従来の住宅用部材の後付け構造としては、例えば、図２３の（ａ）、（ｂ）および図２４に示すごとく、手摺り（１３）のような住宅用部材（９）を取り付ける際には、奥側の壁面（１１）と手前側の壁面（１２）との間に有る壁内の間柱（１５）を探し出し、この間柱（１５）にブラケット（１４）のベースとなるブラケット留めつけ板（２２）をビス体（２３）により固定し、そのブラケット留めつけ板（２２）に上記ブラケット（１４）を固定していたものが知られていた。
【０００３】
また、奥側の壁面（１１）と手前側の壁面（１２）との間に有る壁内の間柱（１５）を利用する以外に、図２５の（ａ）、（ｂ）および図２６の（ａ）に示すごとく、手前側の壁面（１２）に穴をあけて図２６の（ｂ）に示すようなスポンジ（２０）に樹脂を注入し、この樹脂を注入したスポンジ（２０）にビス体（２３）によりブラケット（１４）を介して手摺り（１３）のような住宅用部材（９）を固定する方法も最近は見受けられるようになっているものである。
【０００４】
【発明が解決しようとする課題】
しかしながら、このような住宅用部材の後付け構造においては、まず、図２３および図２４に示す場合であると、仕上げ後の強度を高く維持することができるものの、奥側の壁面（１１）と手前側の壁面（１２）との間に有る壁内の間柱（１５）を探すのに、手で叩いて音の違いで見分けたり、あるいは、間柱センサーで見分けるなどしなければならず、間柱（１５）を探すのが非常に手間となっていたものであり、現場での施工が面倒であった。また、ブラケット留めつけ板（２２）をビス体（２３）により固定していたために、施工の仕上がり後、外観上でブラケット留めつけ板（２２）が目立ち、非常に見苦しいものであった。
【０００５】
そして、図２５および図２６に示す場合であると、ブラケット留めつけ板（２２）がないために、仕上げ後の外観がすっきりしているものの、手前側の壁面（１２）に穴をあけて、スポンジ（２０）を挿入後、同スポンジ（２０）に樹脂を注入したものが用いられているために、このようなスポンジ（２０）にビス体（２３）によりブラケット（１４）を介して手摺り（１３）のような住宅用部材（９）を固定するとなると、強度としては充分には得られず、非常に弱いものであった。
【０００６】
本発明は、上述の事実に鑑みて為されたものであって、その目的とするところは、住宅用部材を後付けにて取り付ける際に、現場での施工が簡単でありながら、仕上げ後の外観が良くて、強度を高く維持することができる住宅用部材の後付け構造を提供することを目的とする。
【０００７】
【課題を解決するための手段】
本発明の請求項１に係る住宅用部材の後付け構造は、奥側の壁面（１１）の内側に当接固定される第１の当接板（１）と、手前側の壁面（１２）の内側に当接固定される第２の当接板（２）と、上記第１の当接板（１）および上記第２の当接板（２）に螺合する取付ネジ（３）とよりなり、上記第１の当接板（１）および上記第２の当接板（２）が、手前側の壁面（１２）に形成された取付穴（４）より挿入可能に細長にそれぞれ形成されているとともに、同第１の当接板（１）および同第２の当接板（２）がそれぞれ、互いに十字状に組み合わせ可能な横板と縦板とからなっていることを特徴とする。
【０００８】
本発明の請求項２に係る住宅用部材の後付け構造は、上記第１の当接板（１）および上記第２の当接板（２）が、紐（６）を挿通することができるように紐用穴（５）をそれぞれ有しているものであり、この紐用穴（５）を挿通する紐（６）が引っ張られて、同第１の当接板（１）および同第２の当接板（２）が互いに十字状にクロスするものであることを特徴とする。
【０００９】
本発明の請求項３に係る住宅用部材の後付け構造は、上記第２の当接板（２）が、１ないし複数の切欠部（７）を有しているものであり、この切欠部（７）に固定具（８）を通すようにして手摺りや収納箱体などの住宅用部材（９）が取り付けられるようになしたことを特徴とする。
【００１０】
本発明の請求項４に係る住宅用部材の後付け構造は、上記住宅用部材（９）と上記第２の当接板（２）との間に合板などの介在物（１０）を介在させて、この介在物（１０）に対して同住宅用部材（９）が取り付けられるようになしたことを特徴とする。
【００１１】
【発明の実施の形態】
以下、本発明の実施の形態を図面を参照しながら詳しく説明する。
【００１２】
図１の（ａ）は、本発明の一実施形態に係る住宅用部材の後付け構造の外観を示した正面図であり、図１の（ｂ）は、本発明の一実施形態に係る住宅用部材の後付け構造を示した断面図である。図２は、本発明の一実施形態に係る住宅用部材の後付け構造を示した断面図である。図３は、本発明の住宅用部材の後付け構造に用いられる一実施形態に係る第１の当接板と第２の当接板との組み合わせの様子を示した斜視図である。図４は、本発明の一実施形態に係る住宅用部材の後付け構造において、取付穴に第１の当接板の横板が挿入される様子を示した概略図である。図５は、本発明の一実施形態に係る住宅用部材の後付け構造において、取付穴に第１の当接板の縦板が挿入される様子を示した概略図である。図６は、本発明の一実施形態に係る住宅用部材の後付け構造において、第１の当接板の横板と同第１の当接板の縦板とを組み合わせて互いに十字状となした様子を示した概略図であり、（ａ）正面図、（ｂ）断面図である。図７は、本発明の一実施形態に係る住宅用部材の後付け構造において、第１の当接板にそれぞれ設けた通し穴に取付ネジが取り付けられた様子を示した概略図であり、（ａ）正面図、（ｂ）断面図である。
【００１３】
また、図８は、本発明の一実施形態に係る住宅用部材の後付け構造において、第２の当接板の横板と同第２の当接板の縦板とを組み合わせて互いに十字状となした様子を示した概略図であり、（ａ）正面図、（ｂ）断面図である。図９は、本発明の一実施形態に係る住宅用部材の後付け構造において、取付ネジを介在物および第１の当接板と第２の当接板にそれぞれ通した様子を示した概略図であり、（ａ）正面図、（ｂ）断面図である。図１０は、本発明の一実施形態に係る住宅用部材の後付け構造において、住宅用部材が取り付けられている様子を示した概略図である。図１１は、図１０の様子を示した断面図である。
【００１４】
そして、図１２は、本発明の住宅用部材の後付け構造に用いられる一実施形態に係る第１の当接板の横板を示した、（ａ）正面図、（ｂ）側面図である。図１３は、本発明の住宅用部材の後付け構造に用いられる一実施形態に係る第１の当接板の縦板を示した、（ａ）正面図、（ｂ）側面図である。図１４は、本発明の住宅用部材の後付け構造に用いられる一実施形態に係る第２の当接板の横板を示した、（ａ）正面図、（ｂ）側面図である。図１５は、本発明の住宅用部材の後付け構造に用いられる一実施形態に係る第２の当接板の縦板を示した、（ａ）正面図、（ｂ）側面図である。図１６は、本発明の住宅用部材の後付け構造に用いられる一実施形態に係る取付ネジを示した側面図である。図１７は、本発明の住宅用部材の後付け構造に用いられる一実施形態に係る介在物を示した、（ａ）正面図、（ｂ）側面図である。
【００１５】
本発明の住宅用部材の後付け構造は、図１ないし図１７に示すごとく、奥側の壁面（１１）の内側に当接固定される第１の当接板（１）と、手前側の壁面（１２）の内側に当接固定される第２の当接板（２）と、上記第１の当接板（１）および上記第２の当接板（２）に螺合する取付ネジ（３）とよりなり、上記第１の当接板（１）および上記第２の当接板（２）が、手前側の壁面（１２）に形成された取付穴（４）より挿入可能に細長にそれぞれ形成されているとともに、同第１の当接板（１）および同第２の当接板（２）がそれぞれ、互いに十字状に組み合わせ可能な横板と縦板とからなっているものである。
【００１６】
上記第１の当接板（１）は、図１の（ｂ）および図２に示すごとく、奥側の壁面（１１）の内側に当接固定されるものである。この第１の当接板（１）は、１２の（ａ）および（ｂ）に示すごとき横板（１ａ）と図１３の（ａ）および（ｂ）に示すごとき縦板（１ｂ）とを有しているものであり、この横板（１ａ）と縦板（１ｂ）とを組み合わせて互いに十字状に組み合わせ可能となっていて、手前側の壁面（１２）に形成された取付穴（４）より挿入可能に細長にそれぞれ形成されていれば、その形状は特に問われるものではないが、例えば、長方形状のものや三日月形状のものなどが採用されるものである。
【００１７】
上記第２の当接板（２）は、図１の（ｂ）および図２に示すごとく、手前側の壁面（１２）の内側に当接固定されるものである。この第２の当接板（２）は、図１４の（ａ）および（ｂ）に示すごとき横板（２ａ）と図１５の（ａ）および（ｂ）に示すごとき縦板（２ｂ）とを有しているものであり、この横板（２ａ）と縦板（２ｂ）とを組み合わせて互いに十字状に組み合わせ可能となっていて、手前側の壁面（１２）に形成された取付穴（４）より挿入可能に細長にそれぞれ形成されていれば、その形状は特に問われるものではないが、例えば、長方形状のものや三日月形状のものなどが採用されるものである。
【００１８】
上記取付ネジ（３）は、図１の（ｂ）および図２に示すごとく、上記第１の当接板（１）および上記第２の当接板（２）に螺合しているものである。この取付ネジ（３）は、上記第１の当接板（１）および上記第２の当接板（２）に螺合していれば、どのような形態のものであってもかまわず、例えば、ネジ、ビス、釘のようなものが自由に採用されるものである。本実施形態においては、この取付ネジ（３）としては、図１６に示すごときビスが採用されているものである。
【００１９】
本発明は、このような構成をとることによって、住宅用部材（９）を後付けにて取り付ける際に、取付ネジ（３）で第１の当接板（１）および第２の当接板（２）に螺合させながら、奥側の壁面（１１）の内側に第１の当接板（１）を当接固定して、手前側の壁面（１２）の内側に第２の当接板（２）を当接固定するだけで、従来のように間柱を探す必要がなく、現場での施工が非常に簡単であり、第１の当接板（１）および第２の当接板（２）が、それぞれ互いに十字状に組み合わせ可能となっているために、十字状の形状に起因する効果により見かけの補強面積が増して、その結果、非常に大きな強度が得られるようになるものである。
【００２０】
すなわち、本発明は、住宅用部材（９）を後付けにて取り付ける際に、現場での施工が簡単でありながら、図１の（ａ）に示すごとき仕上げ後の外観が良くて、強度を高く維持することができるものである。
【００２１】
また、図４ないし図７に示すごとく、上記第１の当接板（１）および上記第２の当接板（２）が、紐（６）を挿通することができるように紐用穴（５）をそれぞれ有しているものであり、この紐用穴（５）を挿通する紐（６）が引っ張られて、同第１の当接板（１）および同第２の当接板（２）が互いに十字状にクロスするものであると、紐（６）を引っ張ることで、同紐（６）を挿通することができるように設けられている紐用穴（５）により位置が自ずと決まり、第１の当接板（１）および第２の当接板（２）が互いに十字状に自ずとクロスするものであり、現場での施工としてはより一層確実に簡単なものとなる。
【００２２】
さらに、図８、図１４および図１５に示すごとく、上記第２の当接板（２）が、１ないし複数の切欠部（７）を有しているものであり、この切欠部（７）に固定具（８）を通すようにして手摺りや収納箱体などの住宅用部材（９）が取り付けられるようになしているものであると、１ないし複数の切欠部（７）が存在することで、固定具（８）を通すようにして手摺りや収納箱体などの住宅用部材（９）が非常に簡単に取り付けられるようになり、結果として、現場での施工としてはより一層確実に簡単なものとなる。
【００２３】
しかも、図９ないし図１１に示すごとく、上記住宅用部材（９）と上記第２の当接板（２）との間に合板などの介在物（１０）を介在させて、この介在物（１０）に対して同住宅用部材（９）が取り付けられるようになしているものであると、合板などの介在物（１０）を介在させることで、住宅用部材（９）と第２の当接板（２）との間の取り付けがより一層確実なものとなり、結果として、強度もより一層確実に高く維持することができるものとなる。
【００２４】
このように本発明の住宅用部材の後付け構造を構成するにあたって、具体的な施工の仕方を説明すると、まず、図４に示すごとく、手前側の壁面（１２）にブラケットで隠れる程度の径の取付穴（４）を開け、次いで、第１の当接板（１）の横板（１ａ）を挿入するものである。そして、図５に示すごとく、第１の当接板（１）の縦板（１ｂ）を挿入し、図６の（ａ）および（ｂ）に示すごとく、紐（６）を引っ張って、同紐（６）を通した紐用穴（５）により位置が決まるために、奥側の壁面（１１）と手前側の壁面（１２）との間の壁内で第１の当接板（１）の横板（１ａ）と縦板（１ｂ）とが組み合わされて十字状となり、その後、図７の（ａ）および（ｂ）に示すごとく、取付ネジ（３）を第１の当接板（１）でねじが切ってあるネジ穴（１７）に通して、同取付ネジ（３）を奥側の壁面（１１）に押し付け固定するものである。なお、このときに、第１の当接板（１）には、同図７の（ｂ）に示すごとく、両面テープ、接着剤などの粘着層（１６）があらかじめ取り着けられているものである。
【００２５】
そして、図８の（ａ）および（ｂ）に示すごとく、取付ネジ（３）をいったん取り除き、第２の当接板（２）を上述した第１の当接板（１）と同じようにして取付穴（４）から挿入して、奥側の壁面（１１）と手前側の壁面（１２）との間の壁内で第２の当接板（２）の横板（２ａ）と縦板（２ｂ）とが組み合わされて十字状となり、第２の当接板（２）にも、第１の当接板（１）の場合と同様に、同図８の（ｂ）に示すごとく、両面テープ、接着剤などの粘着層（１６）があらかじめ取り着けられているものである。そして、図１７の（ａ）および（ｂ）に示すごとき合板でできた介在物（１０）の穴部（１９）を通した取付ネジ（３）を図９の（ａ）および（ｂ）に示すごとく、第２の当接板（２）、第１の当接板（１）の順に通すものである。なお、第２の当接板（２）においては、単に取付ネジ（３）が通れば良いだけであるので、図１４および図１５に示すごとく、この取付ネジ（３）が通る部分には、バカ穴（１８）が形成されているものである。
【００２６】
最後に、図１０に示すごとく、ブラケット（１４）をビスなどの固定具（８）にて固定し、同ブラケット（１４）に手摺り（１３）のような住宅用部材（９）を固定して、図１１に示すごとき施工が完結するものである。
【００２７】
本発明の住宅用部材の後付け構造によると、図１ないし図１７に示すごとく、奥側の壁面（１１）の内側に当接固定される第１の当接板（１）と、手前側の壁面（１２）の内側に当接固定される第２の当接板（２）と、上記第１の当接板（１）および上記第２の当接板（２）に螺合する取付ネジ（３）とよりなり、上記第１の当接板（１）および上記第２の当接板（２）が、手前側の壁面（１２）に形成された取付穴（４）より挿入可能に細長にそれぞれ形成されているとともに、同第１の当接板（１）および同第２の当接板（２）がそれぞれ、互いに十字状に組み合わせ可能な横板と縦板とからなっているので、住宅用部材（９）を後付けにて取り付ける際に、取付ネジ（３）で第１の当接板（１）および第２の当接板（２）に螺合させながら、奥側の壁面（１１）の内側に第１の当接板（１）を当接固定して、手前側の壁面（１２）の内側に第２の当接板（２）を当接固定するだけで、従来のように間柱を探す必要がなく、現場での施工が非常に簡単であり、第１の当接板（１）および第２の当接板（２）が、それぞれ互いに十字状に組み合わせ可能となっているために、十字状の形状に起因する効果により見かけの補強面積が増して、その結果、非常に大きな強度が得られるようになるものである。
【００２８】
すなわち、本発明は、住宅用部材（９）を後付けにて取り付ける際に、現場での施工が簡単でありながら、仕上げ後の外観が良くて、強度を高く維持することができるものである。
【００２９】
【実施例】
以下、本発明の実施例を図面を参照しながら詳しく説明する。
【００３０】
（実施例１〜２および比較例１〜２）
住宅用部材の後付け構造の強度を調べるのに、図２０の（ａ）および（ｂ）に示すごとく、手前側の壁面（１２）の端部［下記の表１では、ボード端部とあらわす。］と図２１の（ａ）および（ｂ）に示すごとく、手前側の壁面（１２）の中央［下記の表１では、ボード中央とあらわす。］で強度試験を行ってみた。
【００３１】
ところで、手前側の壁面（１２）の裏面側は、いずれの場合も、裏面補強（２１）がなされているものである。強度試験の方法としては、図２２に示すごとく、サンプルとなる住宅用部材（９）のまん中におもり（２２）を吊り下げて、おもり（２２）の荷重を変えて、サンプルとなる住宅用部材（９）の破壊荷重と、破壊の部位を調べた。
【００３２】
次に、サンプルとなる住宅用部材（９）は、実施例１〜２においては、図３および図１８の（ａ）、（ｂ）に示すごときものであり、サイズ（面積）は、下記の表１に示したものをそれぞれ用いた。
【００３３】
また、サンプルとなる住宅用部材（９）は、比較例１〜２においては、従来の技術に示したようなものを採用し、具体的には、図１９の（ａ）、（ｂ）に示すごときものであり、サイズ（面積）は、下記の表１に示したものをそれぞれ用いた。
【００３４】
このようにして、実施例１〜２および比較例１〜２において、強度を調べた結果を下記の表１にまとめておいた。
【００３５】
【表１】
0003743380.tif 000002
【００３６】
上記表１を見ながら、実施例１〜２と比較例１〜２とを比べてみると明らかなように、実施例１〜２のものの強度は、比較例１〜２のものの強度よりも、はるかに優れており、本発明のように奥側の壁面（１１）の内側に当接固定される第１の当接板（１）と、手前側の壁面（１２）の内側に当接固定される第２の当接板（２）と、上記第１の当接板（１）および上記第２の当接板（２）に螺合する取付ネジ（３）とよりなり、上記第１の当接板（１）および上記第２の当接板（ ２）が、手前側の壁面（１２）に形成された取付穴（４）より挿入可能に細長にそれぞれ形成されているとともに、同第１の当接板（１）および同第２の当接板（２）が、互いに十字状に組み合わせ可能となっているものであると、強度を高く維持することができるものであるといえる。
【００３７】
【発明の効果】
本発明の請求項１に係る住宅用部材の後付け構造によると、住宅用部材（９）を後付けにて取り付ける際に、取付ネジ（３）で第１の当接板（１）および第２の当接板（２）に螺合させながら、奥側の壁面（１１）の内側に第１の当接板（１）を当接固定して、手前側の壁面（１２）の内側に第２の当接板（２）を当接固定するだけで、従来のように間柱を探す必要がなく、現場での施工が非常に簡単であり、第１の当接板（１）および第２の当接板（２）が、それぞれ互いに十字状もしくは円形状に組み合わせ可能となっているために、十字状の形状に起因する効果により見かけの補強面積が増して、その結果、非常に大きな強度が得られるようになるものである。
【００３８】
すなわち、本発明は、住宅用部材（９）を後付けにて取り付ける際に、現場での施工が簡単でありながら、仕上げ後の外観が良くて、強度を高く維持することができるものである。
【００３９】
本発明の請求項２に係る住宅用部材の後付け構造によると、請求項１記載の場合に加えて、紐（６）を引っ張ることで、同紐（６）を挿通することができるように設けられている紐用穴（５）により位置が自ずと決まり、第１の当接板（１）および第２の当接板（２）が互いに十字状に自ずとクロスするものであり、現場での施工としてはより一層確実に簡単なものとなる。
【００４０】
本発明の請求項３に係る住宅用部材の後付け構造によると、請求項１または請求項２記載の場合に加えて、１ないし複数の切欠部（７）が存在することで、固定具（８）を通すようにして手摺りや収納箱体などの住宅用部材（９）が非常に簡単に取り付けられるようになり、結果として、現場での施工としてはより一層確実に簡単なものとなる。
【００４１】
本発明の請求項４に係る住宅用部材の後付け構造によると、請求項３記載の場合に加えて、合板などの介在物（１０）を介在させることで、住宅用部材（９）と第２の当接板（２）との間の取り付けがより一層確実なものとなり、結果として、強度もより一層確実に高く維持することができるものとなる。
【図面の簡単な説明】
【図１】（ａ）は、本発明の一実施形態に係る住宅用部材の後付け構造の外観を示した正面図であり、（ｂ）は、本発明の一実施形態に係る住宅用部材の後付け構造を示した断面図である。
【図２】本発明の一実施形態に係る住宅用部材の後付け構造を示した断面図である。
【図３】本発明の住宅用部材の後付け構造に用いられる一実施形態に係る第１の当接板と第２の当接板との組み合わせの様子を示した斜視図である。
【図４】本発明の一実施形態に係る住宅用部材の後付け構造において、取付穴に第１の当接板の横板が挿入される様子を示した概略図である。
【図５】本発明の一実施形態に係る住宅用部材の後付け構造において、取付穴に第１の当接板の縦板が挿入される様子を示した概略図である。
【図６】本発明の一実施形態に係る住宅用部材の後付け構造において、第１の当接板の横板と同第１の当接板の縦板とを組み合わせて互いに十字状となした様子を示した概略図であり、（ａ）正面図、（ｂ）断面図である。
【図７】本発明の一実施形態に係る住宅用部材の後付け構造において、第１の当接板にそれぞれ設けた通し穴に取付ネジが取り付けられた様子を示した概略図であり、（ａ）正面図、（ｂ）断面図である。
【図８】本発明の一実施形態に係る住宅用部材の後付け構造において、第２の当接板の横板と同第２の当接板の縦板とを組み合わせて互いに十字状となした様子を示した概略図であり、（ａ）正面図、（ｂ）断面図である。
【図９】本発明の一実施形態に係る住宅用部材の後付け構造において、取付ネジを介在物および第１の当接板と第２の当接板にそれぞれ通した様子を示した概略図であり、（ａ）正面図、（ｂ）断面図である。
【図１０】本発明の一実施形態に係る住宅用部材の後付け構造において、住宅用部材が取り付けられている様子を示した概略図である。
【図１１】図１０の様子を示した断面図である。
【図１２】本発明の住宅用部材の後付け構造に用いられる一実施形態に係る第１の当接板の横板を示した、（ａ）正面図、（ｂ）側面図である。
【図１３】本発明の住宅用部材の後付け構造に用いられる一実施形態に係る第１の当接板の縦板を示した、（ａ）正面図、（ｂ）側面図である。
【図１４】本発明の住宅用部材の後付け構造に用いられる一実施形態に係る第２の当接板の横板を示した、（ａ）正面図、（ｂ）側面図である。
【図１５】本発明の住宅用部材の後付け構造に用いられる一実施形態に係る第２の当接板の縦板を示した、（ａ）正面図、（ｂ）側面図である。
【図１６】本発明の住宅用部材の後付け構造に用いられる一実施形態に係る取付ネジを示した側面図である。
【図１７】本発明の住宅用部材の後付け構造に用いられる一実施形態に係る介在物を示した、（ａ）正面図、（ｂ）側面図である。
【図１８】（ａ）は、本発明の一実施例に係る住宅用部材の後付け構造を示した断面図であり、（ｂ）は、本発明の住宅用部材の後付け構造に用いられる一実施例に係る第１の当接板と第２の当接板との組み合わせの様子を示した斜視図である。
【図１９】（ａ）は、本発明の一実施例に対しての比較例に係る住宅用部材の後付け構造を示した断面図であり、（ｂ）は、本発明の住宅用部材の後付け構造において、一実施例に対しての比較例に係る第１の当接板と第２の当接板との代わりに使用される樹脂充填スポンジを示した斜視図である。
【図２０】本発明の一実施例および比較例に係る住宅用部材の後付け構造を評価する際に、住宅用部材のサンプルが手前側の壁面端部に設けられる様子を示した、（ａ）正面図、（ｂ）背面図である。
【図２１】本発明の一実施例および比較例に係る住宅用部材の後付け構造を評価する際に、住宅用部材のサンプルが手前側の壁面中央に設けられる様子を示した、（ａ）正面図、（ｂ）背面図である。
【図２２】本発明の一実施例および比較例に係る住宅用部材の後付け構造を評価する様子を示した概略図である。
【図２３】（ａ）は、一従来例に係る住宅用部材の後付け構造の外観を示した正面図であり、（ｂ）は、一従来例に係る住宅用部材の後付け構造を示した断面図である。
【図２４】一従来例に係る住宅用部材の後付け構造を示した断面図である。
【図２５】（ａ）は、他の一従来例に係る住宅用部材の後付け構造の外観を示した正面図であり、（ｂ）は、他の一従来例に係る住宅用部材の後付け構造を示した断面図である。
【図２６】（ａ）は、他の一従来例に係る住宅用部材の後付け構造を示した断面図であり、（ｂ）は、この従来例に係る住宅用部材の後付け構造に用いられる樹脂充填スポンジを示した斜視図である。
【符号の説明】
１    第１の当接板
２    第２の当接板
３    取付ネジ
４    取付穴
５    紐用穴
６    紐
７    切欠部
８    固定具
９    住宅用部材
１０  介在物
１１  奥側の壁面
１２  手前側の壁面
【図１】
0003743380.tif 000003
【図２】
0003743380.tif 000004
【図３】
0003743380.tif 000005
【図４】
0003743380.tif 000006
【図５】
0003743380.tif 000007
【図６】
0003743380.tif 000008
【図７】
0003743380.tif 000009
【図８】
0003743380.tif 000010
【図９】
0003743380.tif 000011
【図１０】
0003743380.tif 000012
【図１１】
0003743380.tif 000013
【図１２】
0003743380.tif 000014
【図１３】
0003743380.tif 000015
【図１４】
0003743380.tif 000016
【図１５】
0003743380.tif 000017
【図１６】
0003743380.tif 000018
【図１７】
0003743380.tif 000019
【図１８】
0003743380.tif 000020
【図１９】
0003743380.tif 000021
【図２０】
0003743380.tif 000022
【図２１】
0003743380.tif 000023
【図２２】
0003743380.tif 000024
【図２３】
0003743380.tif 000025
【図２４】
0003743380.tif 000026
【図２５】
0003743380.tif 000027
【図２６】
0003743380.tif 000028